(57)【要約】【課題】  液体を充填した封入容器内に水中観賞物を封入した装飾体において該水中観賞物を支持するための水中観賞物支持具及びこれを用いた装飾体に関し、該封入容器内における該水中観賞物の位置及び姿勢を維持することができるとともに、該封入容器への該水中観賞物の出し入れを簡便に行うことができ、該水中観賞物を封入したまま該液体の交換を行なうことができる水中観賞物支持具及びこれを用いた装飾体を提供する。【解決手段】  装飾体１は、封入容器２と、液体３と、水中観賞物４と、水中観賞物支持具５とからなる。水中観賞物支持具５は、骨部材５１と、栓部材５２と、吊部材５３とからなる。骨部材５１は、基部５１１ａと、第一の支持枝５１１ｂと、第一のリング部５１１ｃとを有する第一の骨部材５１１と、第二の支持枝５１２ａと、第二のリング部５１２ｂとを有する第二の骨部材５１２とからなる。【選択図】      図１
2014128894.tif 000002
【特許請求の範囲】
【請求項１】
液体を充填した封入容器内に水中観賞物を封入した装飾体において該水中観賞物を支持するための部材であって、骨部材と、取付部材と、吊部材とからなり、該骨部材は、線状の部材によって形成されており、第一の骨部材と第二の骨部材とからなり、該第一の骨部材は、基部と、第一の支持枝と、第一のリング部とを有しており、該第一の支持枝は、複数本備えられており、基部から先端に向かって拡がって伸びているとともに、途中から直線状に平行に延びており、該直線状に伸びる箇所の長さが異なっており、該第一のリング部は、基部から輪状に形成されていて、該取付部材が挿通されて係止されており、該第二の骨部材は、第二の支持枝と、第二のリング部とを有しており、該第二の支持枝は、該第二のリング部から該第一の支持枝が直線状に伸びる箇所に平行して直線状に伸びており、該第一の支持枝が直線状に伸びる箇所とはその長さが異なっており、該第二のリング部は、輪状に形成されていて、該第一の骨部材が挿通されて該基部に係止されており、該取付部材は、封入容器の開口部に水中観賞物支持具を取り付けるための部材であって、該開口部に架け渡すことができる部材であり、該吊部材は、該第一の支持枝又は該第二の支持枝と該水中観賞物とを連結するための線状の部材であることを特徴とする水中観賞物支持具。
【請求項２】
請求項１に記載した水中観賞物支持具であって、前記取付部材は、平板状の部材であって、両側辺の上方に外側に向かって突出する突出部が設けられており、上下両辺の中央部に係止溝が設けられているとともに、中央部に貫通孔が穿設されていることを特徴とする水中観賞物支持具。
【請求項３】
請求項１又は２に記載した水中観賞物支持具を用いた液体を充填した封入容器内に水中観賞物を封入した装飾体であって、前記水中観賞物に浮き部材及び／又は重り部材が取り付けられていることを特徴とする装飾体。
【請求項４】
請求項１又は２に記載した水中観賞物支持具を用いた液体を充填した封入容器内に水中観賞物を封入した装飾体あるいは請求項３に記載した装飾体であって、前記封入容器には蓋部材が備えられており、該蓋部材には浮き部材が収納されていることを特徴とする装飾体。
【発明の詳細な説明】
【技術分野】
【０００１】
本発明は、液体を充填した封入容器内に水中観賞物を封入した装飾体において該水中観賞物を支持するための水中観賞物支持具及びこれを用いた装飾体に関するものである。
【背景技術】
【０００２】
従来、水等の液体を充填した封入容器内に水中観賞物を封入した装飾体としては、例えば、水を充填したペットボトル内に生け花を封入した装飾体が提供されてきたところである（例えば、特許文献１参照。）。
【０００３】
また、液体を充填した封入容器内に水中観賞物を封入した装飾体としては、該封入容器の上部から下部までに及ぶ長さを有する針金状の止め具に取り付けた水中花を該封入容器内に封入した装飾体も提案されている（例えば、特許文献２参照。）。
【先行技術文献】
【特許文献】
【０００４】
【特許文献１】特開２００３−２５７９９号公報
【特許文献２】特開平１１−３４７２６１号公報
【発明の概要】
【発明が解決しようとする課題】
【０００５】
しかしながら、上記の従来技術に係る装飾体にあっては、まず、単純に水等の液体を充填したペットボトル等の封入容器内に水中花等の水中観賞物を封入しただけでは、使用者は該水中観賞物を所望の位置及び姿勢に維持することができないという問題があった。
【０００６】
即ち、上記の従来技術に係る装飾体を屋内外の装飾品として用いる場合には、該装飾体を設置する場所の広さ等に応じて、該装飾体を立たせたり寝かせたりして設置することがある。そうすると、該水中観賞物が該封入容器内においてその位置及び姿勢を維持することができないという問題があった。
【０００７】
例えば、入浴に用いる水を節約する方法の一つとして、水を充填したペットボトルを浴槽内に沈めておくことによって浴槽内に張る水の量を減少させることが一般に行われているところである。このような節水方法を用いる場合、水を充填しただけのペットボトルを用いるよりも、水中観賞物もあわせて封入したペットボトルを用いる方が、見た目にも美しいため、使用者が該ペットボトルを用いて節水しようとする意識を更に高めることができる。しかし、該ペットボトルが浴槽内に生じる水流等によって動いてしまうことがあるため、該水中観賞物もまた該ペットボトル内においてその位置及び姿勢を維持することができないという問題があった。
【０００８】
そこで、本発明が解決しようとする第一の課題は、液体を充填した封入容器内に水中観賞物を封入した装飾体において該水中観賞物を支持するための水中観賞物支持具及びこれを用いた装飾体に関し、該装飾体の位置又は姿勢が変化しても、該封入容器内における該水中観賞物の位置及び姿勢を維持することができるようにした水中観賞物支持具及びこれを用いた装飾体を提供することにある。
【０００９】
また、該封入容器内に該水中観賞物を複数封入した場合には、該水中観賞物が該封入容器内においてその位置及び姿勢を変更してしまうことによってお互いに接触すると、とりわけ水中花のように該水中観賞物が軟弱な素材によって形成されている場合には、該水中観賞物が破損するおそれもある。
【００１０】
そこで、本発明が解決しようとする第二の課題は、液体を充填した封入容器内に水中観賞物を封入した装飾体において該水中観賞物を支持するための水中観賞物支持具及びこれを用いた装飾体に関し、複数の該水中観賞物を封入した場合であっても、該水中観賞物がお互いに接触することによって破損しないようにした水中観賞物支持具及びこれを用いた装飾体を提供することにある。
【００１１】
更に、上記の従来技術に係る装飾体にあっては、とりわけ該封入容器として飲料用のペットボトルのように開口部の小さな封入容器を用いる場合や複数の該水中観賞物を該封入容器に出し入れする場合には、使用者が該封入容器への該水中観賞物の出し入れを行うのが困難であるという問題があった。
【００１２】
そこで、本発明が解決しようとする第三の課題は、液体を充填した封入容器内に水中観賞物を封入した装飾体において該水中観賞物を支持するための水中観賞物支持具及びこれを用いた装飾体に関し、該封入容器への該水中観賞物の出し入れを簡便に行なえるようにした水中観賞物支持具及びこれを用いた装飾体を提供することにある。
【００１３】
そして、上記の従来技術に係る装飾体にあっては、該封入容器内に充填されている液体を交換する場合には、該封入容器への該水中観賞物の出し入れも併せて行わなければならないため、該液体を交換する作業が煩雑であるという問題があった。
【００１４】
そこで、本発明が解決しようとする第四の課題は、液体を充填した封入容器内に水中観賞物を封入した装飾体において該水中観賞物を支持するための水中観賞物支持具及びこれを用いた装飾体に関し、該封入容器内に該水中観賞物を封入したまま該封入容器内に充填する液体の交換を行なえるようにした水中観賞物支持具及びこれを用いた装飾体を提供することにある。
【課題を解決するための手段】
【００１５】
本発明は、上記の各課題を解決するために提案されたものであり、以下の構成を有するものである。以下では、本発明の構成を理解するのを補助するため、本願に添付した図面に表示した番号及び符号を併せて記載する。
【００１６】
本発明の第一から第三までの課題を解決するため、請求項１に係る水中観賞物支持具５は、液体を充填した封入容器内に水中観賞物を封入した装飾体において該水中観賞物を支持するための部材であって、骨部材５１と、取付部材５２と、吊部材５３とからなる。骨部材５１は、線状の部材によって形成されており、第一の骨部材５１１と第二の骨部材５１２とからなる。第一の骨部材５１１は、基部５１１ａと、第一の支持枝５１１ｂと、第一のリング部５１１ｃとを有する。第一の支持枝５１１ｂは、複数本備えられており、基部５１１ａから先端に向かって拡がって伸びているとともに、途中から直線状に平行に延びており、該直線状に伸びる箇所の長さが異なっている。第一のリング部５１１ｃは、基部５１１ａから輪状に形成されており、取付部材５２が挿通されて係止されている。第二の骨部材５１２は、第二の支持枝５１２ａと、第二のリング部５１２ｂとを有する。第二の支持枝５１２ａは、第二のリング部５１２ｂから第一の支持枝５１１ｂが直線状に伸びる箇所に平行して直線状に伸びており、第一の支持枝５１１ｂが直線状に伸びる箇所とはその長さが異なっている。第二のリング部５１２ｂは、輪状に形成されており、第一の骨部材５１１が挿通されて基部５１１ａに係止されている。取付部材５２は、封入容器２の開口部２１ａに水中観賞物支持具５を取り付けるための部材であって、開口部２１ａに架け渡すことができる部材である。吊部材５３は、第一の支持枝５１１ｂ又は第二の支持枝５１２ａと水中観賞物４とを連結するための線状の部材である。
【００１７】
本発明の第四の課題を解決するため、請求項２に係る水中観賞物支持具は、請求項１に記載した水中観賞物支持具であって、取付部材５２は、平板状の部材であり、両側辺の上方に外側に向かって突出する突出部５２ａが設けられており、上下両辺の中央部に係止溝５２ｂが設けられているとともに、中央部に貫通孔５２ｃが穿設されている。
【００１８】
本発明の第一及び第二の課題を解決するため、請求項３に係る装飾体は、請求項１又は２に記載した水中観賞物支持具を用いた液体を充填した封入容器内に水中観賞物を封入した装飾体であって、水中観賞物４に浮き部材４２及び／又は重り部材４３が取り付けられている。
【００１９】
本発明の第一及び第二の課題を解決するため、請求項４に係る装飾体は、請求項１又は２に記載した水中観賞物支持具を用いた液体を充填した封入容器内に水中観賞物を封入した装飾体あるいは請求項３に記載した装飾体であって、封入容器２には蓋部材２２が備えられており、蓋部材２２には浮き部材２２ａが収納されている。
【発明の効果】
【００２０】
本発明に係る水中観賞物支持具及びこれを用いた装飾体は、上記の通りの構成であるから、以下のような効果を奏することができる。
【００２１】
まず、請求項１に記載した水中観賞物支持具は、前記第一の支持枝が、複数本備えられており、前記基部から先端に向かって拡がって伸びているとともに、途中から直線状に平行に延びており、該直線状に伸びる箇所の長さが異なっており、前記第二の支持枝が、前記第二のリング部から該第一の支持枝が直線状に伸びる箇所に平行して直線状に伸びているとともに、該第一の支持枝が直線状に伸びる箇所とはその長さが異なっており、前記吊部材が該第一の支持枝又は該第二の支持枝と前記水中観賞物とを連結している。よって、該水中観賞物支持具を用いた装飾体にあっては、該装飾体の位置又は姿勢が変化しても、該封入容器内における該水中観賞物の位置及び姿勢を維持することができる。また、該封入容器内における該水中観賞物の位置及び姿勢を維持することができることから、複数の該水中観賞物を封入した場合であっても、該水中観賞物がお互いに接触することによって破損しないようにすることもできる。
【００２２】
また、請求項３に記載した装飾体は、前記水中観賞物支持具を用いた液体を充填した封入容器内に水中観賞物を封入した装飾体であって、該水中観賞物に浮き部材及び／又は重り部材が取り付けられている装飾体であることから、該水中観賞物が該封入容器内においてその位置及び姿勢を維持することができるようにし、また、複数の該水中観賞物がお互いに接触しないように調節するのに好適である。
【００２３】
更に、請求項４に記載した装飾体は、前記水中観賞物支持具を用いた液体を充填した封入容器内に水中観賞物を封入した装飾体であって、該封入容器には蓋部材が備えられており、該蓋部材には浮き部材が収納されている装飾体であるから、とりわけ該装飾体を水中に設置する場合にあっても、該装飾体が一定の姿勢を維持するのに好適である。
【００２４】
従って、請求項１に記載した水中観賞物支持具並びに請求項３及び４に記載した装飾体は、液体を充填した封入容器内に水中観賞物を封入した装飾体において該水中観賞物を支持するための水中観賞物支持具及びこれを用いた装飾体に関し、該装飾体の位置又は姿勢が変化しても、該封入容器内における該水中観賞物の位置及び姿勢が変化しないようにした水中観賞物支持具及びこれを用いた装飾体を提供するという本発明の第一の課題を解決することができるとともに、複数の該水中観賞物を封入した場合であっても、該水中観賞物がお互いに接触することによって破損しないようにした水中観賞物支持具及びこれを用いた装飾体を提供するという本発明の第二の課題も解決することができる。
【００２５】
次に、請求項１に記載した水中観賞物支持具は、該水中観賞物と連結されているものであるから、使用者は、該水中観賞物支持具を前記封入容器に取り付け又は取り外すことによって、該封入容器への該水中観賞物の出し入れを行うことができる。
【００２６】
従って、請求項１に記載した水中観賞物支持具は、液体を充填した封入容器内に水中観賞物を封入した装飾体において該水中観賞物を支持するための水中観賞物支持具及びこれを用いた装飾体に関し、該封入容器への該水中観賞物の出し入れを簡便に行なえるようにした水中観賞物支持具及びこれを用いた装飾体を提供するという本発明の第三の課題を解決することができる。
【００２７】
そして、請求項２に記載した水中観賞物支持具は、前記取付部材が平板状の部材であるため、該取付部材を前記封入容器の開口部に縦方向に取り付けることにより、該開口部には間隙が設けられることになるから、使用者は、該水中観賞物支持具を該開口部に取り付けたまま、該封入容器内に充填されている液体を交換することができる。
【００２８】
従って、請求項２に記載した水中観賞物支持具は、液体を充填した封入容器内に水中観賞物を封入した装飾体において該水中観賞物を支持するための水中観賞物支持具及びこれを用いた装飾体に関し、該封入容器内に該水中観賞物を封入したまま該封入容器内に充填する液体の交換を行なえるようにした水中観賞物支持具及びこれを用いた装飾体を提供するという本発明の第四の課題を解決することができる。
【図面の簡単な説明】
【００２９】
【図１】本発明の一実施形態に係る装飾体の正面図である。
【図２】本発明の一実施形態に係る水中観賞物支持具の使用状態を示した説明図である。
【図３】本発明の一実施形態に係る水中観賞物支持具の正面図である。
【図４】本発明の一実施形態に係る骨部材の正面図である。
【図５】本発明の一実施形態に係る取付部材の正面図である。
【図６】本発明の一実施形態に係る蓋部材の縦切断部端面図である。
【発明を実施するための形態】
【００３０】
まず、本発明の一実施形態に係る水中観賞物支持具及びこれを用いた装飾体の構造について添付図面に基づいて説明する。
【００３１】
装飾体１は、図１に図示するように、封入容器２と、液体３と、水中観賞物４と、水中観賞物支持具５とからなる。
【００３２】
封入容器２は、図１及び２に図示するように、上部に開口部２１ａを備える封入容器本体２１と蓋部材２２とからなる。封入容器本体２１としては、図１に図示するように、例えば、公知の飲料用のペットボトル等を用いることができる。
【００３３】
蓋部材２２の内部には、図６に図示するように、例えば、発泡スチロール等の浮き部材２２ａが収納されている。また、装飾体１を屋外に設置する際には風等で転倒しないようにひも部材等を用いて家屋等に繋いでおくこともあるところ、蓋部材２２にひも部材等を簡便に取り付けることができるように鍔部２２ｂを設けておくのが好適である。
【００３４】
液体３は、装飾体１の使用目的等に応じて、種々の液体を用いることができ、特に限定されるものではない。即ち、例えば、装飾体１を生活用水の備蓄のためにも用いる場合には、液体３として水道水等を用いることができ、また、装飾体１の装飾性を高める場合には、液体３として着色等が施された各種の液体を用いることができる。
【００３５】
水中観賞物４は、図１に図示するように、水中観賞物本体４１と、浮き部材４２と、重り部材４３とからなる。水中観賞物本体４１は、図１では、水中花が図示されているが、使用者の所望の観賞物を用いることができ、特に水中花に限定されるものではない。即ち、例えば、水中花の代わりに各種の電飾部材を用いることも可能であり、あるいはまた水中花と各種の電飾部材をあわせて用いることももちろん可能である。
【００３６】
浮き部材４２及び重り部材４３は、水中観賞物本体４１の姿勢を安定させるための部材であり、図１に図示するように、水中観賞物本体４１に取り付けられている。浮き部材４２としては、例えば、公知の各種魚釣り用の浮き等を用いることができるが、水中観賞物本体４１の形状及び重量等に応じて、水中観賞物本体４１の姿勢を安定させるべく、使用者の所望の浮き部材４２を用いることができ、特に限定されるものではない。また、重り部材４３としても、例えば、公知の各種魚釣り用の重り等を用いることができるが、水中観賞物本体４１の形状及び重量等に応じて、水中観賞物本体４１の姿勢を安定させるべく、使用者の所望の重り部材４３を用いることができ、特に限定されるものではない。即ち、装飾体１の装飾性を高める場合には、重り部材４３として、例えば、ガラス玉や装飾用石等を用いることも可能である。
【００３７】
水中観賞物支持具５は、液体３を充填した封入容器２内に水中観賞物４を封入した装飾体１において水中観賞物４を支持するための部材である。水中観賞物支持具５は、図３に図示するように、骨部材５１と、取付部材５２と、吊部材５３とからなる。
【００３８】
骨部材５１は、線状の部材によって形成されており、例えば、公知の各種針金部材によって形成することができる。骨部材５１は、図４に図示するように、第一の骨部材５１１と第二の骨部材５１２とからなる。第一の骨部材５１１は、基部５１１ａと、第一の支持枝５１１ｂと、第一のリング部５１１ｃとを有するものである。第一の支持枝５１１ｂは、複数本備えられており、基部５１１ａから先端に向かって拡がって伸びているとともに、途中から直線状に平行に延びており、該直線状に伸びる箇所の長さが異なっている。第一の支持枝５１１ｂにおいて先端に向かって拡がって伸びている箇所の傾斜角度は、第一の骨部材５１１と水中観賞物４が接触しないようにするために、封入容器２に水中観賞物支持具５を取り付けた際に、封入容器２の底面に対して４５度になるように形成すると好適である。尚、第一の支持枝５１１ｂは、図４では二本設けられているが、特に本数は限定されるものではない。第一のリング部５１１ｃは、基部５１１ａから上方に縦長の長円リング状に大径に形成されており、取付部材５２が挿通されて係止されている。また、第二の骨部材５１２は、第二の支持枝５１２ａと、第二のリング部５１２ｂとを有するものである。第二の支持枝５１２ａは、第二のリング部５１２ｂから下方に第一の支持枝５１１ｂが直線状に伸びる箇所に平行して直線状に伸びており、第一の支持枝５１１ｂが直線状に伸びる箇所とはその長さが異なっている。第二のリング部５１２ｂは、水平方向にリング状に小径に形成されており、第一の骨部材５１１が挿通されて基部５１１ａに係止されている。
【００３９】
取付部材５２は、封入容器本体２１の開口部２１ａに水中観賞物支持具５を取り付けるための部材であって、ゴム等の弾力性のある部材によって形成されており、開口部２１ａから蓋部材２２を取り外す際も、取付部材５２が蓋部材２２に連動して外れないようになっている。取付部材５２は、図５に図示するように、平板状の部材であって、両側辺の上方に外側に向かって突出する突出部５２ａが設けられており、図２に図示するように、開口部２１ａの縁に取り付くことができる。また、取付部材５２は、上下両辺の中央部に係止溝５２ｂが設けられており、第一のリング部５１１ｃを係止させる。そして、取付部材５２の中央部には、貫通孔５２ｃが穿設されており、開口部２１ａに取り付ける際に、取付部材５２を収縮変形させて簡便に取り付けることができる。
【００４０】
吊部材５３は、第一の支持枝５１１ｂ又は第二の支持枝５１２ａと水中観賞物４とを連結するための線状の部材であり、例えば、ナイロン糸等の公知の各種のひも部材を用いることができる。
【００４１】
次に、本発明の一実施形態に係る水中観賞物支持具及びこれを用いた装飾体の使用態様について添付図面に基づいて説明する。
【００４２】
使用者は、水中観賞物支持具５を用いて液体３を充填した封入容器本体２１内に水中観賞物４を封入する際には、第一の支持枝５１１ｂを窄めた状態にして開口部２１ａから封入容器本体２１内に差し入れて、水中観賞物４を封入容器本体２１内へと進入させ、図２に図示するように、取付部材５２を縦方向にして開口部２１ａに取り付ける。そうすると、第一の支持枝５１１ｂは、その復元力により、先端に向かって拡がった状態となる。そして、使用者は、図１に図示するように、開口部２１ａに蓋部材２２を取り付け、開口部２１ａを閉塞する。
【００４３】
装飾体１は、水中観賞物支持具５が第一の支持枝５１１ｂ又は第二の支持枝５１２ａと水中観賞物４とを吊部材５３によって連結しており、また、浮き部材４２及び重り部材４３が水中観賞物本体４１に取り付けられている。よって、装飾体１は、立てたり寝かせたりして、その位置又は姿勢が変化しても、封入容器２内における水中観賞物４の位置及び姿勢を維持することができ、また、複数の水中観賞物４を封入容器２内に封入した場合であっても、水中観賞物４がお互いに接触することによって破損しないようにすることもできる。
【００４４】
更に、装飾体１は、蓋部材２２の内部に浮き部材２２ａが収納されていることから、とりわけ装飾体１を水中に設置する場合にあっても、装飾体１が一定の姿勢を維持するのに好適である。
【００４５】
また、取付部材５２が平板状の部材であるため、取付部材５２を縦方向にして開口部２１ａに取り付けることにより、開口部２１ａには間隙が設けられることになる。従って、使用者は、開口部２１ａへの蓋部材２２の着脱を行うだけで、水中観賞物支持具５を開口部２１ａに取り付けたまま、封入容器２内に充填されている液体を交換することができるため、封入容器２内に水中観賞物４を封入したまま封入容器２内に充填する液体３の交換を簡便に行うことができる。
【００４６】
使用者は、水中観賞物支持具５を用いて液体３を充填した封入容器本体２１内に封入した水中観賞物４を引き出す際には、まず、開口部２１ａを下方に向けて、重り部材４３を開口部２１ａに接近させた上で、開口部２１ａに取り付けられている蓋部材２２を取り外し、開口部２１ａを開放する。そして、使用者は、封入容器本体２１の開口部に取り付けられている取付部材５２を開口部２１ａから引き出す。そうすると、第一の支持枝５１１ｂは、開口部２１ａに突き当たって窄んだ状態となり、使用者は、封入容器本体２１内に封入した水中観賞物４を簡便に引き出すことができる。
【符号の説明】
【００４７】
１  装飾体
２  封入容器
２１  封入容器本体
２１ａ  開口部
２２  蓋部材
２２ａ  浮き部材
２２ｂ  鍔部
３  液体
４  水中観賞物
４１  水中観賞物本体
４２  浮き部材
４３  重り部材
５  水中観賞物支持具
５１  骨部材
５１１  第一の骨部材
５１１ａ  基部
５１１ｂ  第一の支持枝
５１１ｃ  第一のリング部
５１２  第二の骨部材
５１２ａ  第二の支持枝
５１２ｂ  第二のリング部
５２  取付部材
５２ａ  突出部
５２ｂ  係止溝
５２ｃ  貫通孔
５３  吊部材
【図１】
2014128894.tif 000003
【図２】
2014128894.tif 000004
【図３】
2014128894.tif 000005
【図４】
2014128894.tif 000006
【図５】
2014128894.tif 000007
【図６】
2014128894.tif 000008